(57)【要約】  電話呼に応答してテキストメッセージを自動的に生成する方法が、開示され、本方法は、発信デバイスからの着信電話呼をテキストメッセージ対応デバイスにおいて受信するステップと、テキストメッセージ対応デバイス内のテキストメッセージエンジンが動作可能であるかどうかを判定するステップと、テキストメッセージエンジンが動作可能であるとき、テキストメッセージを自動的に生成するステップと、発信デバイスにテキストメッセージを送信するステップとを含むことができる。
2012511885.tif 000002
【特許請求の範囲】
【請求項１】
電話呼に応答してテキストメッセージを自動的に生成する方法であって、
発信デバイスからの着信電話呼をテキストメッセージ対応デバイスにおいて受信するステップと、
前記テキストメッセージ対応デバイス内のテキストメッセージエンジンが動作可能であるかどうかを判定するステップと、
前記自動テキストメッセージエンジンが動作可能であるとき、テキストメッセージを自動的に生成するステップと、
前記発信デバイスに前記テキストメッセージを送信するステップとを含む、方法。
【請求項２】
前記テキストメッセージエンジンが動作可能でないとき、前記着信電話呼に応答したかどうかを判定するステップと、
前記着信電話呼に応答しないとき、前記着信電話呼に関する呼出音の数が条件を満たすかどうかを判定するステップと、
呼出音の数が前記条件を満たすとき、前記テキストメッセージエンジンを動作可能にするステップとをさらに含む、請求項1に記載の方法。
【請求項３】
前記着信電話呼に関する現時刻を判定するステップと、
前記発信デバイスに関する連絡先情報を判定するステップと、
前記テキストメッセージ対応デバイスのユーザに関するユーザの活動内容を判定するステップとをさらに含む、請求項2に記載の方法。
【請求項４】
前記テキストメッセージは、前記現時刻、前記連絡先情報、前記ユーザの活動内容、またはそれらの組合せに少なくとも部分的に基づいて生成される、請求項3に記載の方法。
【請求項５】
前記テキストメッセージ対応デバイスに関する位置情報が入手可能であるかどうかを判定するステップと、
前記テキストメッセージエンジンによって生成される前記テキストメッセージ内に前記位置情報を含めるステップとをさらに含む、請求項4に記載の方法。
【請求項６】
前記テキストメッセージ対応デバイス内に記憶されたカレンダーにアクセスするステップと、
前記カレンダーより電話呼を受信する次の通話可能時刻を判定するステップと、
後の時刻における前記発信デバイスへの再発信指示と共に、前記テキストメッセージ内に電話呼を受信する前記次の通話可能時刻を含めるステップとをさらに含む、請求項4に記載の方法。
【請求項７】
前記テキストメッセージ対応デバイスの前記ユーザが、前記発信デバイスの電話呼に応答するという前記発信デバイスへの明示を含めるステップをさらに含む、請求項4に記載の方法。
【請求項８】
前記テキストメッセージエンジンは、押ボタン、ソフトキー選択、またはそれらの組合せによって動作可能とする、請求項1に記載の方法。
【請求項９】
前記テキストメッセージエンジンは、前記テキストメッセージ対応デバイスに関するGPS情報に少なくとも部分的に基づいて動作可能とする、請求項1に記載の方法。
【請求項１０】
前記テキストメッセージエンジンは、前記テキストメッセージ対応デバイスに関するカレンダー情報に少なくとも部分的に基づいて動作可能とする、請求項1に記載の方法。
【請求項１１】
発信デバイスからの着信電話呼をテキストメッセージ対応デバイスにおいて受信する手段と、
前記テキストメッセージ対応デバイス内のテキストメッセージエンジンが動作可能であるかどうかを判定する手段と、
前記テキストメッセージエンジンが動作可能であるとき、テキストメッセージを自動的に生成する手段と、
前記発信デバイスに前記テキストメッセージを送信する手段とを含む、無線デバイス。
【請求項１２】
前記テキストメッセージエンジンが動作可能でないとき、前記着信電話呼に応答したかどうかを判定する手段と、
前記着信電話呼に関する呼出音の数が条件を満たすかどうかを判定する手段と、
呼出音の数が前記条件を満たすとき、前記テキストメッセージエンジンを動作可能にする手段とをさらに含む、請求項11に記載の無線デバイス。
【請求項１３】
前記着信電話呼に関する現時刻を判定する手段と、
前記発信デバイスに関する連絡先情報を判定する手段と、
前記テキストメッセージ対応デバイスのユーザに関するユーザの活動内容を判定する手段とをさらに含む、請求項12に記載の無線デバイス。
【請求項１４】
前記テキストメッセージは、前記現時刻、前記連絡先情報、前記ユーザの活動内容、またはそれらの組合せに少なくとも部分的に基づいて生成される、請求項13に記載の無線デバイス。
【請求項１５】
前記テキストメッセージ対応デバイスに関する位置情報が入手可能であるかどうかを判定する手段と、
前記テキストメッセージエンジンによって生成される前記テキストメッセージ内に前記位置情報を含める手段とをさらに含む、請求項14に記載の無線デバイス。
【請求項１６】
前記テキストメッセージ対応デバイス内に記憶されたカレンダーにアクセスする手段と、
前記カレンダーより電話呼を受信する次の通話可能時刻を判定する手段と、
後の時刻における前記発信デバイスへの再発信指示と共に、前記テキストメッセージ内に電話呼を受信する前記次の通話可能時刻を含める手段とをさらに含む、請求項14に記載の無線デバイス。
【請求項１７】
前記テキストメッセージ対応デバイスの前記ユーザが、前記発信デバイスの電話呼に応答するという前記発信デバイスへの明示を含める手段をさらに含む、請求項14に記載の無線デバイス。
【請求項１８】
前記テキストメッセージエンジンは、押ボタン、ソフトキー選択、またはそれらの組合せによって動作可能とする、請求項11に記載の無線デバイス。
【請求項１９】
前記テキストメッセージエンジンは、前記テキストメッセージ対応デバイスに関するGPS情報に少なくとも部分的に基づいて動作可能とする、請求項11に記載の無線デバイス。
【請求項２０】
前記テキストメッセージエンジンは、前記テキストメッセージ対応デバイスに関するカレンダー情報に少なくとも部分的に基づいて動作可能とする、請求項11に記載の無線デバイス。
【請求項２１】
テキストメッセージ対応デバイスであって、
発信デバイスからの着信電話呼を受信し、
前記テキストメッセージ対応デバイス内のテキストメッセージエンジンが動作可能であるかどうかを判定し、
前記テキストメッセージエンジンが動作可能であるとき、テキストメッセージを自動的に生成し、
前記発信デバイスに前記テキストメッセージを送信するように、
動作可能であるプロセッサを含む、テキストメッセージ対応デバイス。
【請求項２２】
前記プロセッサは、
前記テキストメッセージエンジンが動作可能でないとき、前記着信電話呼に応答したかどうかを判定し、
前記着信電話呼に関する呼出音の数が条件を満たすかどうかを判定し、
呼出音の数が前記条件を満たすとき、前記テキストメッセージエンジンを動作可能にするように、
さらに動作可能である、請求項21に記載のテキストメッセージ対応デバイス。
【請求項２３】
前記プロセッサは、
前記着信電話呼に関する現時刻を判定し、
前記発信デバイスに関する連絡先情報を判定し、
前記テキストメッセージ対応デバイスのユーザに関するユーザの活動内容を判定するように、
さらに動作可能である、請求項22に記載のテキストメッセージ対応デバイス。
【請求項２４】
前記テキストメッセージは、前記現時刻、前記連絡先情報、前記ユーザの活動内容、またはそれらの組合せに少なくとも部分的に基づいて生成される、請求項23に記載のテキストメッセージ対応デバイス。
【請求項２５】
前記プロセッサは、
前記テキストメッセージ対応デバイスに関する位置情報が入手可能であるかどうかを判定し、
前記テキストメッセージエンジンによって生成される前記テキストメッセージ内に前記位置情報を含めるように、
さらに動作可能である、請求項24に記載のテキストメッセージ対応デバイス。
【請求項２６】
前記プロセッサは、
前記テキストメッセージ対応デバイス内に記憶されたカレンダーにアクセスし、
前記カレンダーより電話呼を受信する次の通話可能時刻を判定し、
後の時刻における前記発信デバイスへの再発信指示と共に、前記テキストメッセージ内に電話呼を受信する前記次の通話可能時刻を含めるように、
さらに動作可能である、請求項24に記載のテキストメッセージ対応デバイス。
【請求項２７】
前記プロセッサは、
前記テキストメッセージ対応デバイスの前記ユーザが、前記発信デバイスの電話呼に応答するという前記発信デバイスへの明示を含めるように、
さらに動作可能である、請求項24に記載のテキストメッセージ対応デバイス。
【請求項２８】
前記テキストメッセージエンジンは、押ボタン、ソフトキー選択、またはそれらの組合せによって動作可能とする、請求項21に記載のテキストメッセージ対応デバイス。
【請求項２９】
前記テキストメッセージエンジンは、前記テキストメッセージ対応デバイスに関するGPS情報に少なくとも部分的に基づいて動作可能とする、請求項21に記載のテキストメッセージ対応デバイス。
【請求項３０】
前記テキストメッセージエンジンは、前記テキストメッセージ対応デバイスに関するカレンダー情報に少なくとも部分的に基づいて動作可能とする、請求項21に記載のテキストメッセージ対応デバイス。
【請求項３１】
コンピュータ読取可能媒体を含むコンピュータプログラム製品であって、前記コンピュータ読取可能媒体が、
発信デバイスからの着信電話呼をテキストメッセージ対応デバイスにおいて受信する少なくとも1つの命令と、
前記テキストメッセージ対応デバイス内のテキストメッセージエンジンが動作可能であるかどうかを判定する少なくとも1つの命令と、
前記テキストメッセージエンジンが動作可能であるとき、テキストメッセージを自動的に生成する少なくとも1つの命令と、
前記発信デバイスに前記テキストメッセージを送信する少なくとも1つの命令とを含む、コンピュータプログラム製品。
【請求項３２】
前記コンピュータ読取可能媒体は、
前記テキストメッセージエンジンが動作可能でないとき、前記着信電話呼に応答したかどうかを判定する少なくとも1つの命令と、
前記着信電話呼に関する呼出音の数が条件を満たすかどうかを判定する少なくとも1つの命令と、
呼出音の数が前記条件を満たすとき、前記テキストメッセージエンジンを動作可能にする少なくとも1つの命令とをさらに含む、請求項31に記載のコンピュータプログラム製品。
【請求項３３】
前記コンピュータ読取可能媒体は、
前記着信電話呼に関する現時刻を判定する少なくとも1つの命令と、
前記発信デバイスに関する連絡先情報を判定する少なくとも1つの命令と、
前記テキストメッセージ対応デバイスのユーザに関するユーザの活動内容を判定する少なくとも1つの命令とをさらに含む、請求項32に記載のコンピュータプログラム製品。
【請求項３４】
前記テキストメッセージは、前記現時刻、前記連絡先情報、前記ユーザの活動内容、またはそれらの組合せに少なくとも部分的に基づいて生成される、請求項33に記載のコンピュータプログラム製品。
【請求項３５】
前記コンピュータ読取可能媒体は、
前記テキストメッセージ対応デバイスに関する位置情報が入手可能であるかどうかを判定する少なくとも1つの命令と、
前記テキストメッセージエンジンによって生成される前記テキストメッセージ内に前記位置情報を含める少なくとも1つの命令とをさらに含む、請求項34に記載のコンピュータプログラム製品。
【請求項３６】
前記コンピュータ読取可能媒体は、
前記テキストメッセージ対応デバイス内に記憶されたカレンダーにアクセスする少なくとも1つの命令と、
前記カレンダーより電話呼を受信する次の通話可能時刻を判定する少なくとも1つの命令と、
後の時刻における前記発信デバイスへの再発信指示と共に、前記テキストメッセージ内に電話呼を受信する前記次の通話可能時刻を含める少なくとも1つの命令とをさらに含む、請求項34に記載のコンピュータプログラム製品。
【請求項３７】
前記コンピュータ読取可能媒体は、
前記テキストメッセージ対応デバイスの前記ユーザが、前記発信デバイスの電話呼に応答するという前記発信デバイスへの明示を含める少なくとも1つの命令をさらに含む、請求項34に記載のコンピュータプログラム製品。
【請求項３８】
前記テキストメッセージエンジンは、押ボタン、ソフトキー選択、またはそれらの組合せによって動作可能とする、請求項31に記載のコンピュータプログラム製品。
【請求項３９】
前記テキストメッセージエンジンは、前記テキストメッセージ対応デバイスに関するGPS情報に少なくとも部分的に基づいて動作可能とする、請求項31に記載のコンピュータプログラム製品。
【請求項４０】
前記テキストメッセージエンジンは、前記テキストメッセージ対応デバイスに関するカレンダー情報に少なくとも部分的に基づいて動作可能とする、請求項31に記載のコンピュータプログラム製品。
【発明の詳細な説明】
【技術分野】
【０００１】
本発明は、一般に、データネットワークの動作に関し、より詳細には、テキストメッセージを送信するシステムおよび方法に関する。
【背景技術】
【０００２】
技術の進歩は、広域データネットワークの発達および展開をもたらした。これらのネットワークは、インターネットなどの公衆データネットワーク、および無線テレコミュニケーションネットワークなどの特殊なネットワークの両方を含む。これらのネットワークのユーザは、ネットワーク資源として利用可能である、多種多様の情報およびサービスにアクセスする能力を有する。
【０００３】
ネットワーク資源に対する需要が増加する一例は、無線ネットワーク環境内にある。無線環境において、無線電話、個人用デジタル補助装置(PDA)、およびポケットベル装置などの様々な無線デバイスは、無線ネットワークを通して通信する。無線ネットワークは、無線デバイスに様々なネットワーク資源を提供するように動作するネットワークサーバを含むこともできる。さらに、無線ネットワークは、インターネットなどの公衆ネットワークに結合することもでき、その結果、公衆ネットワーク上の資源を、無線ネットワーク上の無線デバイスで利用可能にすることができる。
【０００４】
多くの無線デバイスは、テキストメッセージとしても知られるショートメッセージサービス(SMS)を介して送信される電話呼およびメッセージを受信することができる。ユーザは、しばしば、電話呼に応答してテキストメッセージを送信したい場合があるが、ユーザは、テキスト作成を妨げる活動に関与しているため、テキストメッセージを送信することができない場合がある。
【発明の概要】
【発明が解決しようとする課題】
【０００５】
したがって、必要とされることは、自動テキストメッセージングを提供するように動作するシステムおよび方法である。
【課題を解決するための手段】
【０００６】
電話呼に応答してテキストメッセージを自動的に生成する方法が、開示され、本方法は、発信デバイスからの着信電話呼をテキストメッセージ対応デバイスにおいて受信するステップと、テキストメッセージ対応デバイス内のテキストメッセージエンジンが動作可能であるかどうかを判定するステップと、テキストメッセージエンジンが動作可能であるとき、テキストメッセージを自動的に生成するステップと、発信デバイスにテキストメッセージを送信するステップとを含むことができる。
【０００７】
本方法は、テキストメッセージエンジンが動作可能でないとき、着信電話呼に応答したかどうかを判定するステップと、着信電話呼に応答しないとき、着信電話呼に関する呼出音の数が条件を満たすかどうかを判定するステップと、呼出音の数が条件を満たすとき、テキストメッセージエンジンを動作可能にするステップとを含むこともできる。条件は、呼出音の計数とすることができる。
【０００８】
この特定の態様において、本方法は、着信電話呼に関する現時刻を判定するステップと、発信デバイスに関する連絡先情報を判定するステップと、テキストメッセージ対応デバイスのユーザに関するユーザの活動内容を判定するステップとを含むこともできる。この態様において、テキストメッセージは、現時刻、連絡先情報、ユーザの活動内容、またはそれらの組合せに少なくとも部分的に基づいて生成される。本方法は、テキストメッセージ対応デバイスに関する位置情報が入手可能であるかどうかを判定するステップと、テキストメッセージエンジンによって生成されるテキストメッセージ内に位置情報を含めるステップとを含むこともできる。さらに、本方法は、テキストメッセージ対応デバイス内に記憶されたカレンダーにアクセスするステップと、カレンダーより電話呼を受信する次の通話可能時刻を判定するステップと、後の時刻における発信デバイスへの再発信指示と共に、テキストメッセージ内に電話呼を受信する次の通話可能時刻を含めるステップとを含むことができる。本方法は、テキストメッセージ対応デバイスのユーザが、発信デバイスの電話呼に応答するという発信デバイスへの明示を含めるステップを含むこともできる。この特定の態様において、テキストメッセージエンジンは、押ボタン、ソフトキー選択、またはそれらの組合せによって動作可能とすることができる。あるいは、テキストメッセージエンジンは、テキストメッセージ対応デバイスに関するGPS情報に少なくとも部分的に基づいて、動作可能とすることができる。それに加えて、テキストメッセージエンジンは、テキストメッセージ対応デバイスに関するカレンダー情報に少なくとも部分的に基づいて、動作可能とすることができる。
【０００９】
別の態様において、無線デバイスが、開示され、本デバイスは、発信デバイスからの着信電話呼をテキストメッセージ対応デバイスにおいて受信する手段と、テキストメッセージ対応デバイス内のテキストメッセージエンジンが動作可能であるかどうかを判定する手段と、テキストメッセージエンジンが動作可能であるとき、テキストメッセージを自動的に生成する手段と、発信デバイスにテキストメッセージを送信する手段とを含むことができる。無線デバイスは、テキストメッセージエンジンが動作可能でないとき、着信電話呼に応答したかどうかを判定する手段と、着信電話呼に応答しないとき、着信電話呼に関する呼出音の数が条件を満たすかどうかを判定する手段と、呼出音の数が条件を満たすとき、テキストメッセージエンジンを動作可能にする手段とを含むこともできる。
【００１０】
この態様において、無線デバイスは、着信電話呼に関する現時刻を判定する手段と、発信デバイスに関する連絡先情報を判定する手段と、テキストメッセージ対応デバイスのユーザに関するユーザの活動内容を判定する手段とをさらに含むことができる。この態様において、テキストメッセージは、現時刻、連絡先情報、ユーザの活動内容、またはそれらの組合せに少なくとも部分的に基づいて生成することができる。
【００１１】
無線デバイスは、テキストメッセージ対応デバイスに関する位置情報が入手可能であるかどうかを判定する手段と、テキストメッセージエンジンによって生成されるテキストメッセージ内に位置情報を含める手段とを含むこともできる。さらに、無線デバイスは、テキストメッセージ対応デバイス内に記憶されたカレンダーにアクセスする手段と、カレンダーより電話呼を受信する次の通話可能時刻を判定する手段と、後の時刻における発信デバイスへの再発信指示と共に、テキストメッセージ内に電話呼を受信する次の通話可能時刻を含める手段とを含むことができる。無線デバイスは、テキストメッセージ対応デバイスのユーザが、発信デバイスの電話呼に応答するという発信デバイスへの明示を含める手段を含むこともできる。
【００１２】
無線デバイスのこの態様において、テキストメッセージエンジンは、押ボタン、ソフトキー選択、またはそれらの組合せによって動作可能とすることができる。さらに、テキストメッセージエンジンは、テキストメッセージ対応デバイスに関するGPS情報に少なくとも部分的に基づいて、動作可能とすることができる。さらに、テキストメッセージエンジンは、テキストメッセージ対応デバイスに関するカレンダー情報に少なくとも部分的に基づいて、動作可能とすることができる。
【００１３】
さらに別の態様において、テキストメッセージ対応デバイスが、開示され、本デバイスは、発信デバイスからの着信電話呼を受信し、テキストメッセージ対応デバイス内のテキストメッセージエンジンが動作可能であるかどうかを判定し、テキストメッセージエンジンが動作可能であるとき、テキストメッセージを自動的に生成し、発信デバイスにテキストメッセージを送信するために動作可能であるプロセッサを含むことができる。さらに、本プロセッサは、テキストメッセージエンジンが動作可能でないとき、着信電話呼に応答したかどうかを判定し、着信電話呼に応答しないとき、着信電話呼に関する呼出音の数が条件を満たすかどうかを判定し、呼出音の数が条件を満たすとき、テキストメッセージエンジンを動作可能にするように、動作することができる。
【００１４】
この態様において、さらに、プロセッサは、着信電話呼に関する現時刻を判定し、発信デバイスに関する連絡先情報を判定し、テキストメッセージ対応デバイスのユーザに関するユーザの活動内容を判定するように、動作することができる。テキストメッセージは、現時刻、連絡先情報、ユーザの活動内容、またはそれらの組合せに少なくとも部分的に基づいて、生成することができる。さらに、プロセッサは、テキストメッセージ対応デバイスに関する位置情報が入手可能であるかどうかを判定し、テキストメッセージエンジンによって生成されるテキストメッセージ内に位置情報を含めるように動作することができる。
【００１５】
この態様において、プロセッサは、テキストメッセージ対応デバイス内に記憶されたカレンダーにアクセスし、カレンダーより電話呼を受信する次の通話可能時刻を判定し、後の時刻における発信デバイスへの再発信指示と共に、テキストメッセージ内に電話呼を受信する次の通話可能時刻を含めるために、動作可能とすることもできる。プロセッサは、テキストメッセージ対応デバイスのユーザが、発信デバイスの電話呼に応答するという発信デバイスへの明示を含めるために、動作可能とすることができる。この態様において、テキストメッセージエンジンは、押ボタン、ソフトキー選択、またはそれらの組合せによって動作可能とすることができる。さらに、テキストメッセージエンジンは、テキストメッセージ対応デバイスに関するGPS情報に少なくとも部分的に基づいて、動作可能とすることができる。さらに、テキストメッセージエンジンは、テキストメッセージ対応デバイスに関するカレンダー情報に少なくとも部分的に基づいて、動作可能とすることができる。
【００１６】
さらに別の態様において、コンピュータプログラム製品が、開示され、本製品は、コンピュータ読取可能媒体を含むことができる。コンピュータ読取可能媒体は、発信デバイスからの着信電話呼をテキストメッセージ対応デバイスにおいて受信する少なくとも1つの命令と、テキストメッセージ対応デバイス内のテキストメッセージエンジンが動作可能であるかどうかを判定する少なくとも1つの命令と、テキストメッセージエンジンが動作可能であるとき、テキストメッセージを自動的に生成する少なくとも1つの命令と、発信デバイスにテキストメッセージを送信する少なくとも1つの命令とを含むことができる。さらに、コンピュータ読取可能媒体は、テキストメッセージエンジンが動作可能でないとき、着信電話呼に応答したかどうかを判定する少なくとも1つの命令と、着信電話呼に応答しないとき、着信電話呼に関する呼出音の数が条件を満たすかどうかを判定する少なくとも1つの命令と、呼出音の数が条件を満たすとき、テキストメッセージエンジンを動作可能にする少なくとも1つの命令とを含むことができる。コンピュータ読取可能媒体は、着信電話呼に関する現時刻を判定する少なくとも1つの命令と、発信デバイスに関する連絡先情報を判定する少なくとも1つの命令と、テキストメッセージ対応デバイスのユーザに関するユーザの活動内容を判定する少なくとも1つの命令とを含むこともできる。この態様において、テキストメッセージは、現時刻、連絡先情報、ユーザの活動内容、またはそれらの組合せに少なくとも部分的に基づいて生成することができる。
【００１７】
コンピュータ読取可能媒体は、テキストメッセージ対応デバイスに関する位置情報が入手可能であるかどうかを判定する少なくとも1つの命令と、テキストメッセージエンジンによって生成されるテキストメッセージ内に位置情報を含める少なくとも1つの命令とをさらに含むことができる。さらに、コンピュータ読取可能媒体は、テキストメッセージ対応デバイス内に記憶されたカレンダーにアクセスする少なくとも1つの命令と、カレンダーより電話呼を受信する次の通話可能時刻を判定する少なくとも1つの命令と、後の時刻における発信デバイスへの再発信指示と共に、テキストメッセージ内に電話呼を受信する次の通話可能時刻を含める少なくとも1つの命令とを含むことができる。
【００１８】
この態様において、コンピュータ読取可能媒体は、テキストメッセージ対応デバイスが、発信デバイスの電話呼に応答するという発信デバイスへの明示を含める少なくとも1つの命令を含むこともできる。テキストメッセージエンジンは、押ボタン、ソフトキー選択、またはそれらの組合せによって動作可能とすることができる。テキストメッセージエンジンは、テキストメッセージ対応デバイスに関するGPS情報に少なくとも部分的に基づいて、動作可能とすることもできる。さらに、テキストメッセージエンジンは、テキストメッセージ対応デバイスに関するカレンダー情報に少なくとも部分的に基づいて、動作可能とすることができる。
図において、特に明示しなければ、様々な図を通して、同様の参照番号は、同様の部品を指す。
【図面の簡単な説明】
【００１９】
【図１】データネットワークの概略図である。
【図２】電話の概略図である。
【図３】テキストメッセージを自動的に生成し、かつ送信する方法を示すフローチャートである。
【発明を実施するための形態】
【００２０】
用語「例示的」は、本明細書内で、「例、事例、または実例として提示する」ことを意味するために使用される。本明細書内で「例示的」と説明されるいずれかの態様は、他の態様を通して、好ましい、または有利なものとして解釈される必要はない。
【００２１】
本説明において、用語「適用例」は、オブジェクトコード、スクリプト、バイトコード、マークアップランゲージファイル、およびパッチなどの実行可能なコンテンツを有するファイルを含むこともできる。それに加えて、本明細書内でいう「アプリケーション」は、開く必要がある可能性があるドキュメント、またはアクセスする必要がある他のデータファイルなどの、本来は実行可能でないファイルを含むこともできる。
【００２２】
用語「コンテンツ」は、オブジェクトコード、スクリプト、バイトコード、マークアップランゲージファイル、およびパッチなどの実行可能なコンテンツを有するファイルを含むこともできる。それに加えて、本明細書内でいう「コンテンツ」は、開く必要がある可能性があるドキュメント、またはアクセスする必要がある他のデータファイルなどの、本来は実行可能でないファイルを含むこともできる。
【００２３】
本明細書内で使用される、用語「コンポーネント」、「データベース」、「モジュール」、「システム」などは、ハードウェア、ファームウェア、ハードウェアとソフトウェアとの組合せ、ソフトウェア、または実行中のソフトウェアのいずれかのコンピュータ関連エンティティのことを指すものである。たとえば、コンポーネントは、限定はしないが、プロセッサ上で動作するプロセス、プロセッサ、オブジェクト、実行ファイル、実行スレッド、プログラム、および/またはコンピュータとすることができる。実例として、コンピュータデバイス上で動作するアプリケーションおよびコンピュータデバイスの両方は、コンポーネントとすることができる。1つまたは複数のコンポーネントは、プロセス、および/または実行スレッド内に存在することができ、コンポーネントは、1つのコンピュータ上に集中し、および/または2つ以上のコンピュータ間に分散することができる。それに加えて、これらのコンポーネントは、その上に記憶される様々なデータ構造を有する様々なコンピュータ読取可能媒体から実行することができる。コンポーネントは、1つまたは複数のデータパケット(たとえば、局所システム、分散システムにおいて、および/または、信号による他のシステムとのインターネットなどのネットワークを通して、別のコンポーネントと相互作用するあるコンポーネントからのデータ)を有する信号によるなどして、局所的、および/または遠隔のプロセスによって通信することができる。
【００２４】
本説明において、用語「通信デバイス」、「無線デバイス」、「無線電話」、「無線通信デバイス」、および「無線ハンドセット」が、互換的に使用される。第3世代(3G)無線技術の出現によって、より大きいバンド幅の利用可能性が、無線機能を有するより多くの電子デバイスを利用可能にした。したがって、無線デバイスは、セルラー電話、ポケットベル、PDA、スマートフォン、ナビゲーションデバイス、または無線接続を有するコンピュータとすることができる。
【００２５】
図1は、データネットワーク100を示す。ネットワーク100は、無線通信チャネル106を介して無線データネットワーク104と通信する第1の無線デバイス102を含むことができる。第1の無線デバイス102は、ショートメッセージサービス(SMS)、拡張メッセージングサービス(EMS)、マルチメディアメッセージングサービス(MMS)、ショートメッセージピアツーピアプロトコル(SMPP)、または当技術分野で周知の他のあらゆるメッセージングサービスを介してメッセージを送信するために使用することができるテキストメッセージ対応デバイスとすることができる。
【００２６】
ネットワーク100は、第1の無線デバイス102およびネットワーク104と通信する他のエンティティとの無線接続性をもたらすように動作する通信タワー108を含むこともできる。通信タワー108は、リンク110によってネットワーク104に結合することができ、リンク110は、有線または無線リンクのいずれかのタイプとすることができる。リンク110は、第1の無線デバイス102とネットワーク104との間の無線通信用のいずれかの既知の手段に基づくことができる。リンク110は、コンテンツを伝達することができる。一態様において、リンク110は、符号分割多元接続(「CDMA」)、時分割多元接続(「TDMA」)、周波数分割多元接続(「FDMA」)、直交周波数分割多元接続(「OFDMA」)、広域移動体通信システム(「GSM」)、アナログ先進移動体電話システム(「AMPS」)、ユニバーサルモバイルテレコミュニケーションシステム(「UMTS」)、802.11a/b/n(「WiFi」)、広範囲マイクロ波接続相互運用規格(World Interoperability for Microwave Access)(「WiMAX」)、または他の無線通信技術を使用して実装することができる。
【００２７】
リンク110を、無線ネットワーク運用者または第三者が提供することができる。無線ネットワーク運用者は、構造基盤および無線通信技術を運用するためのあらゆる免許を所有する。合衆国内の無線ネットワーク運用者の例は、Verizon、Sprint、およびAT&Tである。しかし、いくつかの無線技術は、構造基盤を所有するが、いくつかの無線技術(WiFiなど)を運用する免許を必要としなくてもよい第三者によって運用される。たとえば、リンク110は、局所的なコーヒーショップ(スターバックスなど)のWiFiホットスポットとすることができる。
【００２８】
一態様において、無線デバイス102は、無線電話とすることができ、通信タワー108は、デバイス102への無線接続性をもたらす全国的テレコミュニケーションネットワークの一部分とすることができる。第2の無線デバイス112は、ネットワーク104に結合することもできる。
【００２９】
特定の態様において、通信タワー108は、第1の無線デバイス102、第2の無線デバイス112、またはそれらの組合せの方へ、およびそれらから、電話呼、テキストメッセージなどを送信および受信することができる。本明細書内で説明されるように、第1の無線デバイス102、第2の無線デバイス112、またはそれらの組合せは、1つまたは複数のSMSメッセージ116を自動的に生成し、かつ送信することができる。自動SMSメッセージ116は、ユーザ位置データ118、ユーザカレンダーデータ120、ユーザの活動内容データ122、他のいくつかのユーザ関連の情報、またはそれらの組合せを含むことができる自動生成テキストを含むことができる。
【００３０】
図2を参照すると、無線デバイスの例示的で非限定的な態様が、図示され、220として全体的に示される。図示されるように、無線デバイス220は、共に結合するデジタル信号プロセッサ224およびアナログ信号プロセッサ226を含む、オンチップシステム222を含む。図2に示されるように、ディスプレイコントローラ228およびタッチスクリーンコントローラ230は、デジタル信号プロセッサ224に結合する。次に、オンチップシステム222の外部のタッチスクリーンディスプレイ232は、ディスプレイコントローラ228およびタッチスクリーンコントローラ230に結合する。
【００３１】
さらに、図2は、位相反転線(PAL)エンコーダ、順次式カラーメモリ(SECAM)エンコーダ、または全米テレビジョン放送方式標準化委員会(NTSC)エンコーダなどのビデオエンコーダ234が、デジタル信号プロセッサ224に結合することを示す。さらに、ビデオ増幅器236が、ビデオエンコーダ234およびタッチスクリーンディスプレイ232に結合する。さらに、ビデオポート238が、ビデオ増幅器236に結合する。図2に示されるように、ユニバーサルシリアルバス(USB)コントローラ240が、デジタル信号プロセッサ224に結合する。さらに、USBポート242が、USBコントローラ240に結合する。メモリ244および加入者識別モジュール(SIM)カード246が、デジタル信号プロセッサ224に結合することもできる。さらに、図2に示されるように、デジタルカメラ248が、デジタル信号プロセッサ224に結合することができる。例示的な態様において、デジタルカメラ248は、電荷結合素子(CCD)カメラまたは相補型金属酸化膜半導体(CMOS)カメラである。
【００３２】
さらに、図2に示されるように、ステレオ音声CODEC250が、アナログ信号プロセッサ226に結合することができる。さらに、音声増幅器252が、ステレオ音声CODEC250に結合することができる。例示的な態様において、第1のステレオスピーカ254および第2のステレオスピーカ256が、音声増幅器252に結合する。図2は、拡声器258が、ステレオ音声CODEC250に結合することもできることを示す。それに加えて、マイクロホン260が、拡声器258に結合することができる。特定の態様において、周波数変調(FM)無線チューナ262が、ステレオ音声CODEC250に結合することができる。さらに、FMアンテナ264が、FM無線チューナ262に結合する。さらに、ステレオヘッドホン266が、ステレオ音声CODEC250に結合することができる。
【００３３】
さらに、図2は、無線周波数(RF)送受信部268が、アナログ信号プロセッサ226に結合することができることを示す。RFスイッチ270が、RF送受信部268およびRFアンテナ272に結合することができる。図2に示されるように、キーパッド274が、アナログ信号プロセッサ226に結合することができる。さらに、マイクロホン付モノラルヘッドホン276が、アナログ信号プロセッサ226に結合することができる。さらに、振動器デバイス278が、アナログ信号プロセッサ226に結合することができる。さらに、図2は、電源280が、オンチップシステム222に結合することができることを示す。特定の態様において、電源280は、電力を要求する、無線デバイス220の様々なコンポーネントに電力を供給する直流(DC)電源である。さらに、特定の態様において、電源は、充電式DCバッテリー、またはAC電源に接続される交流(AC)-DC変圧器から得られるDC電源である。
【００３４】
図2に示されるように、無線デバイス220は、全地球測位システム(GPS)モジュール282を含むこともできる。GPSモジュール282は、無線デバイス220の位置を判定するために使用することができる。さらに、GPSモジュール282は、連続する位置情報を判定することによって、無線デバイス220が移動中かどうかを判定するために使用することができる。さらに、連続する位置情報に基づいて、無線デバイス220が移動している速度を判定することができる。
【００３５】
さらに、図2は、無線デバイス220が、メモリ244内に記憶され、デジタル信号プロセッサ224にアクセス可能なSMSエンジン284を含むこともできることを示す。SMSエンジン284は、無線デバイス220で受信される着信電話呼に応答してSMSメッセージを自動的に生成するように動作するソフトウェアモジュールとすることができる。特定の実施形態において、SMSメッセージは、拡張メッセージングサービス(EMS)、マルチメディアメッセージングサービス(MMS)、ショートメッセージピアツーピアプロトコル(SMPP)、または当技術分野で周知の他のあらゆるメッセージングサービスを介して送信されるメッセージを含むことができる。
【００３６】
特定の態様において、SMSエンジン284は、無線デバイス220における着信電話呼に応答して1つまたは複数のテキストメッセージを自動的に生成し、かつ送信するために、図3と併せて説明される方法ステップの1つまたは複数を実行することができる。したがって、SMSエンジン284は、図3と併せて説明される方法ステップの1つまたは複数を実行する手段として機能することができる。SMSエンジン284は、無線デバイス220のユーザが運転しているときなど、無線デバイス220が高速で移動していることをGPSモジュール282が示すとき、SMSメッセージを自動的に生成するために、GPSモジュール282からの情報を使用することができる。
【００３７】
さらに、図2は、無線デバイス220が、そのメモリ244内に記憶されるカレンダー286を含むこともできることを示す。カレンダーモジュール286は、会議、面会予約などを追跡するために、無線デバイス220のユーザが利用することができる。SMSエンジン284は、ユーザが会議中または予約された面会中で、着信呼を受信できない可能性があることをカレンダーモジュール286が示すとき、SMSメッセージを自動的に生成するために、カレンダーモジュール286内の情報を使用することができる。
【００３８】
図2に示されるように、タッチスクリーンディスプレイ232、ビデオポート238、USBポート242、カメラ248、第1のステレオスピーカ254、第2のステレオスピーカ256、マイクロホン260、FMアンテナ264、ステレオヘッドホン266、RFスイッチ270、RFアンテナ272、キーパッド274、モノラルヘッドホン276、振動器278、および電源280は、オンチップシステム222の外部にある。
【００３９】
特定の態様において、本明細書内で説明される方法ステップの1つまたは複数は、コンピュータプログラム命令としてメモリ244内に記憶することができる。これらの命令は、本明細書内で説明される方法を実行するために、プロセッサ224、226によって実行することができる。さらに、プロセッサ224、226、メモリ244、それらの中に記憶される命令、またはそれらの組合せは、本明細書内で説明される方法ステップの1つまたは複数を実行する手段として機能することができる。
【００４０】
図3を参照すると、無線デバイスにおいてSMSメッセージまたはテキストメッセージを自動的に生成し、かつ送信する方法300は、図示され、SMSデバイスにおいて呼が受信されるとき、以下のステップが実行されるdoループを含むブロック302で開始する。判定ブロック304において、無線デバイスは、無線デバイス内の自動SMSエンジン284が起動しているかどうかを判定することができる。SMSエンジン284は、ユーザによって起動することができる。たとえば、ユーザは、無線デバイスにディスプレイされる特定のソフトキーを選択するか、または無線デバイス上のボタンを押すことができる。
【００４１】
あるいは、SMSエンジン284は、無線デバイスが高速で移動していることを判定し、ユーザが運転している可能性があることを示すとき、自動的に起動することができる。SMSエンジン284は、SMSエンジン284にアクセス可能なGPSモジュールから受信される情報に基づいて、無線デバイスが移動していることを判定することができる。別の態様において、SMSエンジン284は、無線デバイス内に記憶されるユーザのカレンダーモジュール286に基づいて、自動的に起動することができる。たとえば、ユーザが特定の時刻に会議中となることを示したとき、SMSエンジン284は、中断または気が散ることを避けるために、会議中に自動的に起動することができる。
【００４２】
自動SMSエンジン284が起動していないとき、方法300は、判定ブロック306に進むことができ、SMSエンジン284は、着信呼に応答したかどうかを判定することができる。呼に応答したとき、方法300は、図示されるようにブロック308に進み、終了することができる。電話呼に応答しないとき、方法300は、判定ブロック310に進み、呼出音の数が条件を満たすかどうかを判定することができる。一態様において、この判定は、呼出音の数が所定またはユーザ定義の閾値よりも多いかどうかを判定するステップを含むことができる。たとえば、閾値は、1つの呼出音、2つの呼出音、3つの呼出音、4つの呼出音、5つの呼出音、または他のあらゆる数の呼出音とすることができる。呼出音の数が閾値よりも多くないとき、方法300は、ブロック308において終了することができる。呼出音の数が閾値を上回るとき、方法300は、判定ブロック312に進むことができる。閾値に向かって計数される呼出音の数を示すとき、当業者は、減分計数器、タイマ、フラグなどを利用することができる。
【００４３】
判定ブロック312において、SMSエンジン284は、テキストメッセージを生成して発信デバイスに送信すべきかどうかを判定することができる。SMSエンジン284は、発信デバイスの機能を判定することができ、その判定に基づいて、SMSエンジン284は、テキストメッセージを生成せず、発信デバイスに送信しないことを判定することができる。特定の態様において、発信デバイスは、テキスト機能を有しない可能性があり、したがって、SMSエンジン284は、テキストメッセージを自動的に生成することができない。発信デバイスの機能の判定は、発信デバイスに関する番号に基づくことができる。たとえば、発信デバイスは、テキストメッセージを受信することができない電話に結合する地上回線である可能性がある。
【００４４】
一態様において、SMSエンジン284は、発信デバイスを識別し、発信デバイスの識別番号を使用して発信デバイスの機能を判定するために、電話番号、電子シリアル番号(ESN)、移動体装置識別番号(MEID)、国際移動体装置識別番号(IMEI)、国際移動体加入者識別番号(IMSI)、移動体加入者ISDN番号(MSISDN)、または他のいくつかの固有の識別番号を使用することができる。たとえば、SMSエンジン284は、発信デバイスを識別するために、無線デバイス内のデータベースにアクセスすることができる。あるいは、SMSエンジン284は、発信デバイスを識別するために、外部データベースにアクセスすることができる。
【００４５】
判定ブロック312に戻って、SMSエンジン284が、テキストメッセージを自動的に生成し、かつ発信デバイスに送信することを決定するとき、方法300は、ブロック314に進むことができる。判定ブロック304で判定されるように、自動SMSエンジン284を起動するときも、方法300のブロック314に達することができる。ブロック314において、SMSエンジン284は、無線デバイスの現時刻を判定することができる。ブロック316において、SMSエンジン284は、可能な場合は、発信デバイス電話番号に関連し、無線デバイスに記憶される連絡先情報を判定することができる。SMSエンジン284は、連絡先情報を判定するために、発信デバイスの識別番号を記憶されたデバイスのリストと比較することができる。記憶されたデバイスのリストは、無線デバイス内に記憶されたアドレスブックまたは連絡先リストの一部分とすることができる。ブロック318に進み、SMSエンジン284は、たとえば、ユーザカレンダー、GPS情報、他のいくつかの情報、またはそれらの組合せに基づいて、ユーザの活動内容を判定することができる。ユーザの活動内容は、ユーザが現在、関与する活動内容のタイプを含むことができ、運転、会議への出席などを含むことができる。
【００４６】
ブロック320において、現時刻、連絡先情報、ユーザの活動内容、またはそれらの組合せに少なくとも部分的に基づいて、SMSエンジン284は、テキストメッセージを自動的に生成することができる。判定ブロック322において、SMSエンジン284は、位置情報が入手可能であるかどうかを判定することができる。位置情報が入手可能であるとき、方法300は、ブロック324に続くことができ、SMSエンジン284は、位置情報をテキストメッセージに追加することができる。その後に、方法300は、判定ブロック326に進むことができる。
【００４７】
他方、判定ブロック322において、位置情報が入手可能でないときも、方法300は、判定ブロック326に進むことができる。判定ブロック326において、SMSエンジン284は、発信デバイスに再発信するように指示すべきかどうかを判定することができる。これは、1つまたは複数のユーザ優先項目または設定に基づくことができる。そうなれば、方法300は、ブロック328に進むことができ、SMSエンジン284は、無線デバイスによって記憶されるユーザカレンダーにアクセスすることができる。さらに、ブロック330において、SMSエンジン284は、発信デバイスからの電話呼を受信する、次の通話可能時刻を判定するために、カレンダーを使用することができる。ブロック332において、SMSエンジン284は、特定の時刻における発信デバイスまたは発信デバイスのユーザに対する発信命令と共に、テキストメッセージに次の通話可能時刻を追加することができる。その後に、ブロック334において、SMSエンジン284は、発信デバイスにテキストメッセージを送信することができる。次に、方法300は、ブロック308において終了することができる。
【００４８】
判定ブロック326に戻って、SMSエンジン284が発信デバイスに再発信するように指示しないことを決定するとき、方法300は、判定ブロック336に進むことができる。判定ブロック336において、SMSエンジン284は、着信デバイスが発信デバイスの呼に応答するかどうかを決定することができる。これは、1つまたは複数のユーザ優先項目または設定に基づくことができる。着信デバイスが発信デバイスの呼に応答しないことを、SMSエンジン284が決定するとき、方法300は、ブロック334に進み、説明されるように続くことができる。着信デバイスが発信デバイスの呼に応答することを、SMSエンジン284が決定するとき、方法300は、ブロック338に続くことができる。ブロック338において、SMSエンジン284は、着信デバイスのユーザが、その最も早い機会に発信デバイスに発信するテキストメッセージに、指示を追加することができる。次に、方法300は、ブロック334に進み、本明細書内で説明されるように、続くことができる。
【００４９】
本明細書内で説明された方法ステップは、必ずしも説明された順番で実行する必要はないことを理解されたい。さらに、たとえば「その後に」、「次に」、「次の」などの用語は、ステップの順番を限定することを目的とするものではない。これらの用語は、方法ステップの説明を読者に案内するために使用されるにすぎない。
【００５０】
本明細書内で説明される1つまたは複数の態様は、たとえば、会議のため、運転中など、ユーザが応答することができない可能性がある着信電話呼に応答して、テキストメッセージを自動的に生成するシステムおよび方法を提供する。自動テキストメッセージは、特定の個人の発信に合わせることができる。たとえば、個人の発信が家族の一員であるとき、着信ユーザの現況に関するより個人的な情報を、自動応答に含むことができる。逆に、個人の発信が仕事関係者であるとき、自動テキストメッセージは、極めて形式的で、着信ユーザに関するあらゆる個人的な情報を示さないことができる。個人の発信が親しい友人であるとき、自動テキストメッセージは、冗談または他のいくつかのユーモアのあるコメントを含むことができる。
【００５１】
さらに、自動テキストメッセージは、着信デバイス内に記憶された着信ユーザのカレンダーから得られる情報を含むことができる。たとえば、カレンダーモジュール内に記憶される。そのような情報は、再発信するのに適当な時刻を含むことができる。自動テキストメッセージは、ビデオ応答、電話応答、音声応答、テキスト、またはそれらの組合せを含むことができる。
【００５２】
特定の態様において、メッセージは、着信者の現在の活動内容に関する説明を含むことができる。たとえば、テキストメッセージは、「私は運転中です。私は、目的地に着いたとき、あなたに電話します。」と説明することができる。あるいは、テキストメッセージは、「私は会議中です。私は、会議の終了後、折り返しお電話します。」と説明することができる。さらに、テキストメッセージは、「私は忙しいので、5:30に電話をかけ直してください。」と説明することができる。いずれにせよ、これらのテキストメッセージは、ユーザのカレンダー、または着信デバイス内のGPSモジュール282から受信される情報より判定されるユーザの活動内容に基づいて、着信デバイス内のSMSエンジン284によって自動的に生成することができる。
【００５３】
1つまたは複数の例示的態様において、説明された機能は、ハードウェア、ソフトウェア、ファームウェア、またはそれらのいずれかの組合せの中で実装することができる。機能は、ソフトウェア内に実装されるとき、1つまたは複数の命令またはコードとして、コンピュータ読取可能媒体上に記憶され、コンピュータ読取可能媒体を介して伝達することができる。コンピュータ読取可能媒体は、コンピュータ記憶媒体、およびコンピュータプログラムのある場所から他の場所への転送を容易にするいずれかの媒体を含む通信媒体の両方を含む。記憶媒体は、コンピュータによってアクセスすることができる、あらゆる入手可能な媒体とすることができる。例として、限定はしないが、そのようなコンピュータ読取可能媒体は、RAM、ROM、EEPROM、CD-ROMもしくは他の光ディスク記憶装置、磁気ディスク記憶装置もしくは他の磁気記憶装置、または命令もしくはデータ構造の形態で所望のプログラムコードを保持もしくは記憶するのに使用することができ、コンピュータによってアクセスすることができるいずれかの他の媒体を含むことができる。さらに、あらゆる接続を、コンピュータ読取可能媒体と称することが適当である。たとえば、ソフトウェアが、ウェブサイト、サーバ、または同軸ケーブル、光ファイバケーブル、ツイストペア、デジタル加入者線(DSL)、もしくは赤外線、無線、マイクロ波などの無線技術を使用する他の遠隔ソースから送信されるとき、同軸ケーブル、光ファイバケーブル、ツイストペア、DSL、または赤外線、無線、マイクロ波などの無線技術は、媒体の定義に含まれる。本明細書内で使用されるディスク(DiskおよびDisc)は、コンパクトディスク(disc)(CD)、レーザーディスク(disc)、光ディスク(disc)、デジタル多用途ディスク(disc)(DVD)、フロッピー（登録商標）ディスク(disk)、およびブルーレイディスク(disc)を含むが、diskは、通常、磁気的にデータを再生する一方、discは、レーザーによって光学的にデータを再生する。以上のものの組合せも、コンピュータ読取可能媒体の範囲内に含めるべきである。
【００５４】
選択された態様を詳細に例示および説明してきたが、以下の特許請求の範囲によって規定される、本発明の技術的思想および範囲から逸脱することなく、その中で様々な置換および交換を行うことができることが理解されよう。
【符号の説明】
【００５５】
100  データネットワーク
102  無線デバイス
104  無線データネットワーク
106  無線通信チャネル
108  通信タワー
110  リンク
112  無線デバイス
116  SMSメッセージ
118  ユーザ位置
120  カレンダー情報
122  ユーザ活動内容
220  無線デバイス
222  オンチップシステム
224  デジタル信号プロセッサ
226  アナログ信号プロセッサ
228  ディスプレイコントローラ
230  タッチスクリーンコントローラ
232  タッチスクリーンディスプレイ
234  ビデオエンコーダ
236  ビデオ増幅器
238  ビデオポート
240  USBコントローラ
242  USBポート
244  メモリ
246  SIMカード
248  デジタルカメラ
250  ステレオ音声CODEC
252  音声増幅器
254  第1のステレオスピーカ
256  第2のステレオスピーカ
258  拡声器
260  マイクロホン
262  FM無線チューナ
264  FMアンテナ
266  ステレオヘッドホン
268  RF送受信部
270  RFスイッチ
272  RFアンテナ
274  キーパッド
276  マイクロホン付モノラルヘッドホン
278  振動器デバイス
280  電源
282  GPSモジュール
284  SMSエンジン
286  カレンダーモジュール
【図１】
2012511885.tif 000003
【図２】
2012511885.tif 000004
【図３】
2012511885.tif 000005
【国際調査報告】
2012511885.tif 000006
2012511885.tif 000007
2012511885.tif 000008